(57)【要約】【課題】使い勝手のよい接地装置を提供する。【解決手段】電源タップ１００は、電源プラグの栓刃が挿入される刃受け口１１３、１１４が配置された第１面１０１と、電源プラグのアース端子が接触する導体棒１１２が配置された第２面１０２と、第２面１０２に配置され、導体棒１１２を覆うように、開閉可能な蓋１０６とを具備する。導体棒１１２は、接地電圧が給電され、第２面１０２に対して垂直方向に延在する。蓋１０６を閉じたとき、第２面１０２と対向する第３面を、蓋１０６は有する。蓋１０６を閉じることにより、導体棒１１２に接触している電源プラグのアース端子は、第２面１０２と第３面との間に挟まれる。【選択図】図３
2015138664.tif 000002
【特許請求の範囲】
【請求項１】
電源プラグの栓刃が挿入される刃受け口が配置された第１面と、
前記電源プラグのアース端子が接触する導体棒が配置された第２面と、
前記第２面に配置され、前記導体棒を覆うように、開閉可能な蓋と、
を具備し、
前記導体棒は、接地され、前記第２面に対して垂直方向に延在し、前記蓋は、閉じたとき、前記第２面と対向する第３面を有し、前記導体棒に接触する前記アース端子は、前記第２面と前記第３面との間に挟まれる、接地装置。
【請求項２】
請求項１に記載の接地装置において、
前記導体棒は、円柱状導体棒であり、
前記接地装置は、前記第２面に配置され、前記円柱状導体棒の断面積よりも、その面積が大きく、前記円柱状導体棒と電気的に結合された導体板を、具備する、接地装置。
【請求項３】
請求項２に記載の接地装置において、
前記アース端子は、第１辺と、前記第１辺に対向し、Ｖ字型の窪み部を持つ第２辺とを具備し、
前記蓋は、それが閉じたとき、前記アース端子の前記第１辺と対向する突起部を具備し、
前記蓋が閉じたとき、前記アース端子は、前記導体棒と前記突起部とにより挟まれる、接地装置。
【請求項４】
請求項３に記載の接地装置において、
前記アース端子は、前記導体板に接触する導体面を有する第１導体板であり、前記第１辺および第２辺のそれぞれは、前記第１導体板の辺であり、前記第１辺は、配線により前記電源プラグに接続されている、接地装置。
【請求項５】
請求項４に記載の接地装置において、
前記接地装置は、箱形筐体であり、前記第１面は、前記箱形筐体の一の面であり、前記第２面は、前記一の面と直交する前記箱形筐体の面である、接地装置。
【請求項６】
請求項５に記載の接地装置において、
前記接地装置は、電源タップである、接地装置。
【請求項７】
請求項５に記載の接地装置において、
前記接地装置は、逆接地アダプターである、接地装置。
【発明の詳細な説明】
【技術分野】
【０００１】
本発明は、接地装置に関し、例えば電源タップ、逆接地アダプターに関する。
【背景技術】
【０００２】
電源タップに挿入される電源プラグとして、電源タップを介して接地（以下、アースとも称する）されるアース端子を有する電源プラグが知られている。このような電源プラグにおいては、電源タップを介して電源電圧を受電するための１対の栓刃が、その筐体から突出され、さらに筐体からは、アース端子に接続された接地電圧配線が取り出されている。このような電源プラグが挿入される電源タップは、その筐体に、電源プラグの栓刃が挿入される刃受け口と、接地電圧を給電するアース端子とが設けられている。
【０００３】
電源プラグの栓刃が、電源タップの刃受け口に挿入されたとき、電源プラグのアース端子は、電源タップのアース端子に接続される。電源タップのアース端子には、電源プラグのアース端子を接続し、固定するために、ねじが設けられている。建物の壁等に予め敷設されるコンセントも、同様にアース端子を有しており、例えば特許文献１の図５に示されているように、アース端子は、ねじを有している。特許文献１に示されているコンセントにおいては、ねじによって、電源プラグのアース端子が、コンセントのアース端子に固定される。
【先行技術文献】
【特許文献】
【０００４】
【特許文献１】特開昭６３−１１０５６４号公報
【発明の概要】
【発明が解決しようとする課題】
【０００５】
漏電による感電等を防ぐために、電気機器に接続された電源プラグのアース端子は、電源タップあるいはコンセントのアース端子に接続することが望ましい。しかしながら、ねじを用いて、電源プラグのアース端子を電源タップあるいはコンセントのアース端子に固定する構成においては、ねじを外す／止めるための工具と、ねじを外す／止めると言う作業のための時間が必要とされる。そのため、使い勝手がよくない。
【０００６】
使い勝手がよくないため、電源プラグのアース端子を、電源タップあるいはコンセントのアース端子に接続しないでおくと、漏電による感電等が発生することが考えられる。さらに、電源プラグのアース端子は、電源プラグとの間が柔軟性を有する配線により接続されているため、電源プラグの栓刃を電源タップあるいはコンセントの刃受け口に挿入したとき、電源プラグのアース端子は浮いた状態となり、その存在場所は予期できない。そのため、電源プラグのアース端子が、例えば、別の電源タップあるいはコンセントの刃受け口に入り込んでしまうことも考えられる。この場合には、電源のショートにより火災等が発生することが考えられる。
【０００７】
また、アース端子を有する電源プラグを、３個の栓刃へ変換する逆接地アダプターが知られている。当該逆接地アダプターにおいては、３個の栓刃のうちの１個が接地電圧用の栓刃とされ、電源プラグのアース端子が、ねじによって接地電圧用の栓刃に固定される。従って、この場合にも、ねじを外す／止めるための工具と、その工具を用いた作業のための時間が必要とされ、使い勝手がよくない。
【０００８】
特許文献１には、ねじにより生じる使い勝手の低下が認識されていない。
【０００９】
本願明細書においては、アース端子を有する電源プラグが挿入される電源タップ、コンセントおよび逆接地アダプター等を、接地装置と総称する。
【００１０】
本発明の目的は、使い勝手のよい接地装置を提供することにある。
【００１１】
本発明の前記ならびにそのほかの目的と新規な特徴は、本明細書の記述および添付図面から明らかになるであろう。
【課題を解決するための手段】
【００１２】
本願において開示される発明のうち、代表的なものの概要を簡単に説明すれば、次のとおりである。
【００１３】
すなわち、接地装置は、電源プラグの栓刃が挿入される刃受け口が配置された第１面と、電源プラグのアース端子が接触する導体棒が配置された第２面と、第２面に配置され、導体棒を覆うように、開閉可能な蓋とを具備する。ここで、導体棒は、第２面に対して垂直方向に延在し、蓋は、それが閉じたとき、第２面と対向する第３面を有し、電源プラグのアース端子は第２面と第３面との間に挟まれる。
【００１４】
電源プラグのアース端子を、導体棒に接触させることにより、接地電圧が、電源プラグのアース端子に給電される。これにより、ねじを止める作業を行わなくても、電源プラグのアース端子に接地電圧を給電することが可能となり、使い勝手の向上が図れる。さらに、蓋を閉じることにより、電源プラグのアース端子は、第２面と第３面とによって挟まれ、覆われる。これにより、電源プラグのアース端子が露出することが防がれるとともに、所定の位置に配置することが可能となり、ショート等の発生を防ぐことが可能となる。さらに、導体棒と蓋で構成されるため、簡素な構成であり、接地装置のコストが上昇するのを抑えることが可能である。
【００１５】
一実施の形態においては、接地装置は、導体棒と電気的に結合された導体板を具備する。電源プラグのアース端子は、導体棒および／あるいは導体板に接触することにより、接地電圧が給電される。これにより、より確実に接地電圧の給電が可能となる。
【００１６】
また、一実施の形態においては、電源プラグのアース端子は、第１辺と、この第１辺に対向し、Ｖ字型の窪み部を持つ第２辺とを具備する。この場合、蓋は、それが閉じたとき、アース端子の第１辺と対向する突起部を具備する。蓋が閉じたとき、電源プラグのアース端子は、導体棒と蓋の突起部との間に挟まれる。これにより、電源プラグのアース端子が、接地装置から外れるのを防ぐことが可能となる。
【００１７】
さらに、一実施の形態においては、電源タップが、接地装置とされる。また、一実施の形態においては、逆接地アダプターが、接地装置とされる。
【発明の効果】
【００１８】
本願において開示される発明のうち、代表的なものによって得られる効果を簡単に説明すれば、以下のとおりである。
【００１９】
使い勝手のよい接地装置を提供することができる。
【図面の簡単な説明】
【００２０】
【図１】（Ａ）および（Ｂ）は、実施の形態１に係わる電源タップの平面図および側面図である。
【図２】（Ａ）および（Ｂ）は、実施の形態１に係わる電源タップの断面図である。
【図３】実施の形態１に係わる電源タップの斜視図である。
【図４】実施の形態１に係わる電源プラグの斜視図である。
【図５】（Ａ）および（Ｂ）は、実施の形態１を説明するための要部平面図および要部断面図である。
【図６】実施の形態１に係わる電源タップの変形例を示す斜視図である。
【図７】実施の形態２に係わる逆接地アダプターの斜視図である。
【図８】実施の形態３に係わる電源タップの斜視図である。
【発明を実施するための形態】
【００２１】
以下、本発明の実施の形態を図面に基づいて詳細に説明する。なお、実施の形態を説明するための全図において、同一部分には原則として同一の符号を付し、その繰り返しの説明は、原則として省略する。
【００２２】
接地装置として、電源タップおよび逆接地アダプターを例にして、以下説明するが、勿論、接地装置は、これらに限定されず、建物の壁等に予め敷設されるコンセント等であってもよい。
【００２３】
（実施の形態１）
図１（Ａ）は、実施の形態１に係わる電源タップ１００の平面図であり、図１（Ｂ）は、電源タップ１００の側面図である。図２（Ａ）および（Ｂ）は、図１（Ｂ）におけるＡ−Ａ’断面の断面図である。ここで、図２（Ａ）は、蓋１０６が閉じた状態の断面を示しており、図２（Ｂ）は、蓋１０６が開いた状態の断面を示している。なお、図１および図２において、破線は隠れている部分を示している。また、図３は、電源タップ１００の斜視図である。次に、これらの図１から図３を用いて、電源タップ１００の構成を説明する。
【００２４】
図１から図３に示すように、電源タップ１００は、箱形の筐体１１６と、この箱形の筐体１１６に設けられた蓋１０６と、接地電圧棒（以下、接地電極棒とも称する）１１２と、接地電圧板（以下、接地電極板とも称する）１１１とを具備している。箱形の筐体１１６は６個の面１０１〜１０５および１１７を有している。面１０１には、後で図４を用いて説明する電源プラグ４００の１対の栓刃４０３、４０４が挿入される刃受け口１１３、１１４が設けられている。面１０１と直交する面１０２には、蓋１０６、接地電極棒１１２、接地電極板１１１が設けられており、面１０１と直交する面１０３からは電源コード１１５が突出している。接地電極板１１１は、接地電極棒１１２に電気的に接続されている。さらに、接地電極棒１１２と接地電極板１１１は、例えば電源コード１１５を介して接地電圧に電気的に接続されている。
【００２５】
接地電極棒１１２は、面１０２に対して垂直方向に延在する円柱状の導体棒であり、接地電極板１１１は、接地電極棒１１２の円の面積よりも大きな面積を有する円盤状の導体板である。円盤状の導体板である接地電極板１１１は、その円盤状の一方の面が、筐体１１６の面１０２に接触するように、筐体１１６に固定されている。また、円柱状の導体棒である接地電極棒１１２は、その円柱状の一方の面が、接地電極板１１１の他方の円盤状面に接するように、筐体１１６に固定されている。特に制限されないが、図１（Ｂ）に示すように、接地電極棒１１２の中心点（円柱の中心点）が、接地電極板１１１の中心点（円盤の中心点）と重なるように、接地電極棒１１２と接地電極板１１１は筐体１１６に固定されている。なお、接地電極板１１１に穴を開け、この穴を接地電極棒１１２が貫通するようにして、接地電極板１１１と接地電極棒１１２とが電気的に接触するようにしてもよい。
【００２６】
蓋１０６は、絶縁性の板により構成され、特に制限されないが、この実施の形態においては、正方形の形状をしている。蓋１０６を構成する正方形の板は、その一辺１１８が、図２および図３に示すように、箱形の筐体の面１０２に固定され、辺１１８と対向する他辺１１９には、突起部１０７および１０８が設けられている。また、この正方形の板は、図２に示す屈曲可能部１２０において、図２において上下に折り曲げ可能にされている。この屈曲可能部１２０において、図２（Ａ）に示すように、下側へ折り曲げることにより、蓋１０６は閉じた状態となる。また、図２（Ｂ）に示すように、屈曲可能部１２０において、上側へ延ばすと、蓋１０６は開いた状態となる。すなわち、蓋１０６は開閉可能とされている。
【００２７】
なお、図２においては、刃受け口１１３、１１４が設けられている面１０１が、同図の右側に向くように示されている。そのため、正方形の板を上下に折り曲げることにより、蓋１０６を開閉すると説明している。一方、図３においては、刃受け口１１３、１１４が設けられている面１０１が、上側に向くように示されている。そのため、蓋１０６を構成する正方形の板は、図３では上側に曲げることにより、蓋１０６は閉じられ、下側に延ばすことにより、蓋１０６は開かれることになる。
【００２８】
蓋１０６は、閉じたとき、図２（Ａ）に示すように、箱形の筐体１１６の面１０２と対向する内面１０９を有している。また、蓋１０６の他辺１１９に設けられた２個の突起部１０７および１０８は、図１（Ａ）および図３に示すように、接地電極棒１１２および接地電極板１１１の一部が露出するように、所定の間隔を設けるようにして、蓋１０６の他辺１１９に固定されている。特に制限されないが、この実施の形態においては、蓋１０６が閉じられたとき、図２に示すように、突起部１０７および１０８は、筐体１１６の面１０２に接するような長さを有している。また、特に制限されないが、円筒形の接地電極棒１１２の長さと、円盤状の接地電極板１１１の厚さとの和は、蓋１０６の一辺１１８から屈曲可能部１２０までの長さｌ１と同じにされている。なお、図２において、１１０は、蓋１０６の外面を示している。
【００２９】
図２（Ａ）および図３に示すように、蓋１０６の内面１０９の面積は、接地電極板１１１の面積よりも大きくされている。これにより、蓋１０６を閉じたとき、接地電極板１１１および接地電極棒１１２は、蓋１０６によって覆われることになる。
【００３０】
この実施の形態においては、図１および図３に示されているように、蓋１０６の側辺１２１ａおよび１２１ｂには、突起部が設けられていない。これにより、蓋１０６を製造する際の材料費の低減を図ることが可能となる。また、側辺１２１ａおよび１２１ｂが開放されていることにより、後で説明する電源プラグのアース端子と接地電極棒１１２および接地電極板１１１との接触状態を確認することも可能となる。
【００３１】
接地電極棒１１２および接地電極板１１１の材料は、金属等の導電性を有する材料であればよい。また、筐体１１６、蓋１０６および突起部１０７、１０８を構成する材料は、絶縁性を有する材料であればよい。
【００３２】
なお、電源タップ１００の筐体１１６内において、電源コード１１５の電圧配線と１対の刃受け口１１３、１１４に挿入された１対の栓刃とは電気的に接続される。
【００３３】
次に、電源プラグ４００の構成を、図４を用いて説明する。図４は、電源プラグ４００の構成を示す斜視図である。同図において、４０１は、図示されていない電気機器に電源電圧を供給するための電源コードである。電源コード４０１は、電源プラグ４００の筐体４０２に接続されており、電源プラグ４００の筐体４０２には、１対の栓刃４０３および４０４が突出するように設けられている。また、電源プラグ４００の筐体４０２には、柔軟性を有する接地電圧配線４０５が突出するように設けられている。この接地電圧配線４０５には、アース端子４０６が接続されている。電源プラグ４００の筐体４０２内において、栓刃４０３および４０４は、電源コード４０１に電気的に接続されている。また、アース端子４０６は、接地電圧配線４０５を介して、電気的に電源コード４０１の接地電圧に接続されている。
【００３４】
電源プラグの栓刃４０３および４０４は、図１（Ａ）および図３に示した刃受け口１１３および１１４に、挿入される。これにより、電源タップ１００から、図示されていない電気機器に対して電源電圧の給電が行われる。この実施の形態においては、栓刃４０４が、栓刃４０３に対して、接地電圧配線４０５に物理的に近い位置から突出している。そのため、特に制限されないが、この実施の形態においては、栓刃４０４が、図１および図３に示した刃受け口１１４に挿入され、栓刃４０３が、刃受け口１１３に挿入されることが望ましい。このように挿入することにより、電源プラグ１００において接地電極棒１１２と同じ面側に、接地電圧配線４０５およびアース端子４０６が突出することになり、接地電圧配線４０５およびアース端子４０６の引き回しが容易となる。
【００３５】
電源プラグ４００のアース端子４０６は、導電性の導電板である。導電板であるアース端子４０６は、図４において一点鎖線で示すように、２つの辺４０７および４０８を有している。アース端子４０６の辺４０７は、中央部から導電部４１０が突出しており、この導電部４１０に接地電圧配線４０５が電気的に接続されている。また、この導電部４１０において、アース端子４０６と接地電圧配線４０５とが機械的にも固定され、容易にアース端子４０６と接地電圧配線４０５とが分離しないようにされている。アース端子４０６の辺４０７は、導電部４１０が突出している中央部から両方の外側に向かって傾斜部４０７ａ、４０７ｂを有している。また、アース端子４０６の辺４０８は、上記した辺４０７に対して対向する辺であり、Ｖ字型の窪み部分４０９を有している。
【００３６】
すなわち、アース端子４０６は、互いに対向する２つの辺４０７、４０８を有する導電板であり、辺４０７は、導電部４１０が突出する中央部と２つの傾斜部４０７ａ、４０７ｂを有している。また、辺４０８には、Ｖ字型の窪み部分４０９を有している。図４において、５０１は、アース端子４０６である導電板の表面を示しており、５００は、当該導電板の裏面を示している。図４では、当該導電板の裏面は明示されていないため、裏面は（５００）として示されている。
【００３７】
この実施の形態においては、図１から図３に示した接地電極棒１１２が、アース端子４０６のＶ字型の窪み部分４０９に接触するように、アース端子４０６が電源タップ１００に装着される。このとき、後で図５を用いて説明するが、アース端子４０６の導電部４１０が、蓋１０６に設けられた２個の突起部１０７と１０８の間の空間に入るように、取り付けられる。これにより、アース端子４０６の窪み部分４０９は、電源タップ１００の接地電極棒１１２に接触し、アース端子４０６の裏面５００は、電源タップ１００の接地電極板１１１の表面５０２に接触することになる。その結果として、図示していない電気機器には、電源タップ１００からの接地電圧が給電されることになり、漏電等を防ぐことが可能となる。
【００３８】
次に、アース端子４０６を電源タップ１００に装着した状態を、図５（Ａ）および図５（Ｂ）を用いて説明する。図５（Ａ）は、アース端子４０６を電源タップ１００に装着した状態を示す平面図である。また、図５（Ｂ）は、図５（Ａ）におけるＢ−Ｂ’断面を示す断面図である。なお、図面を容易にするために、図５には、接地電極棒１１２、接地電極板１１１、アース端子４０６および突起部１０７、１０８に関する部分のみが拡大して示されている。また、図５（Ａ）および（Ｂ）は、蓋１０６が閉じられた状態を示しているが、図５（Ａ）において、蓋１０６は省略され、突起部１０７、１０８のみが示されている。
【００３９】
接地電圧配線４０５（図４参照）に接続されたアース端子４０６は、その窪み部分４０９が、接地電極棒１１２を挟み込むように、電源タップ１００に装着される。この装着においては、蓋１０６を閉じたとき、アース端子４０６の導電部４１０が、突起部１０７と突起部１０８との間の空間に納まるように、取り付けられる。これにより、アース端子４０６には、接地電極棒１１２を介して接地電圧が給電される。また、このとき、図５（Ｂ）に示すように、接地電極板１１１の表面５０２は、アース端子４０６の裏面５００に接触することになる。これにより、接地電極板１１１からもアース端子４０６に対して接地電圧の給電が行われることになり、確実に接地電圧を電気機器に給電することが可能となる。勿論、接地電極板１１１の表面５０２とアース端子４０６の裏面５００とは、必ずしも接触していなくてもよいし、接地電極棒１１２とアース端子４０６とが必ず接触していなくてもよい。接地電極板１１１および接地電極棒１１２のいずれかが、アース端子４０６と接触していれば、接地電圧を給電することが可能である。
【００４０】
蓋１０６を閉じることにより、接地電極棒１１２、接地電極板１１１およびアース端子４０６は、蓋１０６により覆われる。すなわち、接地電極棒１１２、接地電極板１１１およびアース端子４０６は、筐体１１６の面１０２と蓋１０６の面１０９との間に挟まれることになる。これにより、接地電極棒１１２、接地電極板１１１およびアース端子４０６が、他の部分と接触する可能性を低減することが可能となる。さらに、柔軟性を有する接地電圧配線４０５によって、アース端子４０６の位置が変化してしまうことを低減することが可能となる。これにより、アース端子４０６によるショートを低減することが可能となる。
【００４１】
また、この実施の形態においては、蓋１０６に突起部１０７、１０８が設けられている。この２個の突起部１０７、１０８の間の部分に、アース端子４０６と接地電圧配線４０５とを接続する導電部４１０が配置される。導電部４１０は、アース端子４０６の一辺４０７から突出した部分である。そのため、蓋１０６を閉じることにより、突起部１０７、１０８が、辺４０７において突出していない傾斜部４０７ａ、４０７ｂと対向することになる。すなわち、アース端子４０６は、Ｖ字型の窪み部分４０９に挟まれた接地電極棒１１２と突起部１０７、１０８との間に挟まれることになる。これにより、接地電圧配線４０５が、引っ張られても、あるいは押し込まれても、アース端子４０６が、電源タップ１００から外れることを防ぐことが可能となる。
【００４２】
さらに、アース端子４０６が、接地電極棒１１２と突起部１０７、１０８とに接触しながら固定されるように、アース端子４０６および接地電極棒１１２のサイズ、接地電極棒１１２と突起部１０７、１０８の間の距離等を定めることにより、蓋１０６を閉じたとき、アース端子４０６が動かないように固定することが可能である。この実施の形態においては、辺４０７において突出していない傾斜部４０７ａおよび４０７ｂは、中心部（導電部４１０）へ向かって、アース端子４０６の幅が狭くなるように傾斜している。そのため、傾斜部４０７ａ、４０７ｂと、突起部１０７、１０８とは、点１０７ａ、１０８ａで接触することになる。これにより、例えばアース端子４０６のサイズが多少変化しても、突起部１０７、１０８が可逆性を有するようにすれば、点１０７ａ、１０８ａに接触する傾斜部４０７ａ、４０７ｂの位置が変化することにより、アース端子４０６を動かないように固定することが可能となる。
【００４３】
なお、図５（Ｂ）において、５０３は、接地電極板１１１の裏面を示しており、この裏面５０３は、筐体１１６の面１０２に固定されている。
【００４４】
実施の形態１によれば、ねじを用いずに、電源プラグ４００のアース端子４０６を
電源タップ１００に装着することができる。これにより、使い勝手の向上が図れる。また、蓋１０６によって、アース端子４０６等が他の部分へ接触し、ショートが発生するのを低減することが可能となる。
【００４５】
また、ねじ等を用いない簡単な構成のため、電源タップの価格が上昇するのを抑制することが可能となる。
【００４６】
＜変形例＞
図６は、実施の形態１に係わる電源タップの変形例を示す斜視図である。この変形例に係わる電源タップ６００は、口数が３口の電源タップであり、１個の筐体６０１に３組の刃受け部Ｔ１〜Ｔ３が設けられている。刃受け部Ｔ１〜Ｔ３のそれぞれには、電源コード６０２を介して電源電圧と接地電圧が給電されている。ここで、刃受け部Ｔ２およびＴ３は、図１から図５を用いて説明した電源タップ１００と同じ構成であるため、その説明は省略する。
【００４７】
この変形例における電源タップ６００には、電源電圧用の１対の栓刃と接地電圧用の栓刃を具備する電源プラグが装着可能になっている。すなわち、３組の刃受け部Ｔ１〜Ｔ３の内、刃受け部Ｔ１は、電源電圧用の１対の栓刃が挿入される刃受け口６０３および６０４と、接地電圧用の栓刃が挿入される刃受け口６０５とを具備している。
【００４８】
このように、複数の口を有する電源タップの内、所定の口に対してのみ、それぞれ接地電極棒１１２、接地電極板１１１および蓋１０６を設けるようにしてもよい。勿論、全ての口に対して、接地電極棒１１２、接地電極板１１１および蓋１０６を設けるようにしてもよい。
【００４９】
（実施の形態２）
図７は、実施の形態２に係わる逆接地アダプター７００の構成を示す斜視図である。逆接地アダプター７００は、箱形の筐体７０４と、その筐体７０４から突出した１対の電源電圧用の栓刃７０１、７０２および接地電圧用の栓刃７０３とを具備している。
【００５０】
実施の形態１では、電源プラグ４００の栓刃４０３、４０４が刃受け口１１３、１１４に挿入されると、挿入された栓刃４０３、４０４は、電源コード１１５内の電源電圧配線に接続され、電源プラグ４００のアース端子４０６は、接地電極棒１１２および／あるいは接地電極板１１１を介して、電源コード１１５内の接地電圧に接続される。これに対して、実施の形態２に係わる逆接地アダプター７００では、その筐体７０４内で、刃受け口１１３、１１４に、電源プラグ４００の栓刃４０３、４０４が挿入されると、挿入された栓刃４０３、４０４は、筐体７０４から突出している栓刃７０１、７０２に電気的に接続される。また、接地電極棒１１２および接地電極板１１１は、筐体７０４から突出している栓刃７０３に電気的に接続されている。そのため、電源プラグ４００のアース端子４０６が、接地電極棒１１２および／あるいは接地電極板１１１に固定（接触）されると、電源プラグ４００のアース端子４０６は、栓刃７０３と電気的に接続されることになる。
【００５１】
このように、アース端子４０６を有する電源プラグ４００が装着された逆接地アダプター７００は、例えば図６に示した刃受け部Ｔ１に装着される。図６の刃受け部Ｔ１を例にすれば、電源プラグ４００が装着された逆接地アダプター７００は、それから突出した栓刃７０２が刃受け口６０３に挿入され、栓刃７０１が刃受け口６０４に挿入され、栓刃７０３が刃受け口６０５に挿入される。これにより、逆接地アダプター７００を介して、電源タップ６００の刃受け部Ｔ１に装着された電源プラグ４００には、電源タップ６００から、電源電圧と接地電圧が給電され、電源プラグ４００の電源コード４０１に接続された電気機器（図示せず）に給電される。
【００５２】
この実施の形態においても、ねじ等を用いずに、電気機器の接地電圧を電源コード６０２内の接地電圧にすることが可能である。そのため、使い勝手の向上が図れる。
【００５３】
（実施の形態３）
図８は、実施の形態３に係わる電源タップの構成を示す斜視図である。実施の形態３に係わる電源タップは、実施の形態１に係わる電源タップと類似している。ここでは、実施の形態１と異なる部分を主に説明する。
【００５４】
実施の形態３に係わる電源タップにおいては、突起部１０７および１０８のそれぞれの一辺に、爪８０２および８０３が設けられている。また、電源タップの筐体１１６の面１０２にフック８００および８０１が設けられている。フック８００および８０１は、蓋１０６が閉じられたとき、突起部８０２および８０３が接触する面１０２において、突起部８０２および８０３に対応する位置に設置されている。蓋１０６が閉じられたとき、突起部１０７に設けられた爪８０２は、対応する位置におけるフック８００に係合し、突起部１０８に設けられた爪８０３は、それに対応する位置におけるフック８０１に係合する。爪８０２、８０３が、フック８００、８０１に係合することにより、突起部１０７、１０８は、筐体１１６の面１０２に固定され、その結果として、蓋１０６が閉じた状態で、筐体１１６に固定される。
【００５５】
この実施の形態によれば、蓋１０６は閉じた状態で、固定されるため、不所望に蓋１０６が開いてしまうのを防ぐことが可能となる。これにより、アース端子４０６が電源タップから外れるのをより確実に防ぐことが可能となる。
【００５６】
以上本発明者によってなされた発明を、前記実施形態に基づき具体的に説明したが、本発明は、前記実施形態に限定されるものではなく、その要旨を逸脱しない範囲において種々変更可能である。実施の形態３では、電源タップを例にして述べたが、実施の形態２において述べた逆接地アダプターへ適用してもよい。また、建物に予め敷設される電源コンセントに適用してもよい。
【００５７】
さらに、突起部１０７および１０８は、蓋１０６を構成する板と一体的に形成するようにしてもよい。また実施の形態３で述べた爪８０２、８０３も蓋１０６を構成する板と一体的に形成してもよい。さらに、フック８００、８０１も、筐体１１６と一体的に形成してもよい。このように、一体的に形成することにより、製造工程の簡略化を図ることが可能であり、コストの上昇を抑制することが可能となる。
【００５８】
また、接地電極棒１１２は、円柱状の形状でなくてもよいし、接地電極板１１１も円盤状の形状でなくてもよい。
【符号の説明】
【００５９】
１００、６００  電源タップ
１０１〜１０５、１１７  面
１０６  蓋
１０７、１０８  突起部
１１１  接地電極板
１１２  接地電極棒
１１３、１１４  刃受け口
１１５、４０１、６０２  電源コード
１１６、６０１、７０４  筐体
４００  電源プラグ
４０３、４０４  栓刃
４０６  アース端子
７００  逆接地アダプター
【図１】
2015138664.tif 000003
【図２】
2015138664.tif 000004
【図３】
2015138664.tif 000005
【図４】
2015138664.tif 000006
【図５】
2015138664.tif 000007
【図６】
2015138664.tif 000008
【図７】
2015138664.tif 000009
【図８】
2015138664.tif 000010